(57)【要約】      （修正有）【課題】小型の構造で家畜の成長や体調に応じた良好な保育環境を得ることができる家畜用保育器を提供する。【解決手段】家畜ｃを載置可能且つ畜舎を出入り可能な大きさであって上方を開放した保育台１０と、保育台に固定されて保育台上部側の家畜載置部材１３の上側へ暖気を送り込むヒーター２０と、地面を転動するように保育台に回転自在に支持された２以上の車輪３１，３２とを備えている。【選択図】図２
0003211745.tif 000002
【実用新案登録請求の範囲】
【請求項１】
家畜を載置可能且つ畜舎を出入り可能な大きさであって上方を開放した保育台と、前記保育台に固定されて該保育台上部側の家畜載置面の上側へ暖気を送り込むヒーターと、地面を転動するように前記保育台に回転自在に支持された２以上の車輪とを備えていることを特徴とする家畜用保育器。
【請求項２】
前記保育台の周縁側に、上方へ立ち上がる柵を設けたことを特徴とする請求項１記載の家畜用保育器。
【請求項３】
前記ヒーターは、前記保育台の下方側へ暖気を送り込むように前記保育台の側面側に固定され、
前記家畜載置面には、多数の通気孔が設けられ、
前記保育台には、前記ヒーターによる暖気を前記家畜載置面の下側へ導いて前記通気孔に通過させる暖気通路が確保されていることを特徴とする請求項１又は２記載の家畜用保育器。
【考案の詳細な説明】
【技術分野】
【０００１】
本考案は、仔牛等の家畜の養育に用いられる家畜用保育器に関するものである。
【背景技術】
【０００２】
生まれたばかりの仔牛は、体毛が羊水により濡れており、冷えて呼吸や体の動きを確保し難く、冬季は特に低体温症などの事故が増えるため、生まれて数時間は仔牛用の保育器に入れ、事故を回避するケースが増えている。
従来、この種の保育器には、例えば特許文献１に記載されるものように、平面視矩形状のベース及び床板と、この床板上方側の空間を側面によって四方から囲む本体と、この本体の上方を覆う屋根とを具備したものがある。
この従来技術によれば、仔牛の上下及び四方を囲んで覆うことができ、また、冬場等寒い時期には、本体に設けられた窓から内部に暖気を入れることも可能である。
【先行技術文献】
【特許文献】
【０００３】
【特許文献１】実登３０４４７２６号公報
【考案の概要】
【考案が解決しようとする課題】
【０００４】
ところで、ある程度体毛が乾き、気道の確保ができ、低体温症等のおそれのなくなった仔牛は、暖かいのに慣れてしまわないうちに、従来の保育器から通常の牛舎に移して育てられる。
しかしながら、上記従来技術によれば、保育器から牛舎に移された仔牛が、例えば下痢等により体調を崩し、再度保育器に戻そうとした場合に、仔牛が大きく育ってしまい従来の保育器に収容できない場合がある。
そこで、保育器全体を大きくして、大きく育った仔牛が、体調を崩した場合に保育器に戻れるようにすることが考えられる。しかし、保育器全体を大きくすると、底部から天井部までの高さがかなりあるので、輸送が困難になったり、製造コストが増大したり等の問題を生じる場合がある。
【課題を解決するための手段】
【０００５】
このような課題に鑑みて、本考案は、以下の構成を具備するものである。
家畜を載置可能且つ畜舎を出入り可能な大きさであって上方を開放した保育台と、前記保育台に固定されて該保育台上部側の家畜載置面の上側へ暖気を送り込むヒーターと、地面を転動するように前記保育台に回転自在に支持された２以上の車輪とを備えていることを特徴とする家畜用保育器。
【０００６】
より好ましい手段としては、前記保育台の周縁側に、上方へ立ち上がる柵を設けた。
【０００７】
さらに好ましい手段としては、前記ヒーターは、前記保育台の下方側へ暖気を送り込むように前記保育台の側面側に固定され、前記家畜載置面には、多数の通気孔が設けられ、前記保育台には、前記ヒーターによる暖気を前記家畜載置面の下側へ導いて前記通気孔に通過させる暖気通路が確保されている。
【考案の効果】
【０００８】
本考案は、以上説明したように構成されているので、小型な構造により家畜の成長や体調に応じた良好な保育環境を得ることができる。
【図面の簡単な説明】
【０００９】
【図１】本考案に係る家畜用保育器の一例を示す斜視図であり、一部を切欠して示している。
【図２】同家畜用保育器を側方から示す断面図である。
【図３】同家畜用保育器を畜舎内へ移動しようとしている状態を側方から示す図である。
【図４】同家畜用保育器が収納された畜舎を示す正面図である。
【考案を実施するための形態】
【００１０】
次に、本考案に係る具体的な実施形態について、図面に基づいて詳細に説明する。
図１は、本実施形態の家畜用保育器の一例を示す斜視図である。
この家畜用保育器１は、家畜ｃを載置可能且つ畜舎２（図３参照）を出入り可能な大きさであって上方を開放した保育台１０と、保育台１０に固定されて家畜載置面１３ａの上側へ暖気を送り込むヒーター２０と、地面を転動するように保育台１０に回転自在に支持された２以上（図示例によれば４つ）の車輪３１，３２と、保育台の周縁側で上方へ立ち上がる柵４０とを備えている
【００１１】
家畜ｃは、図示例によれば、牛である。通常、生まれたばかりの仔牛は、羊毛により体が濡れており、本実施形態の家畜用保育器１に載せられて、暖気に当てられるのが好ましい。また、ある程度成長し家畜用保育器１から畜舎２に移された仔牛であっても、下痢や他の病気等により体調を崩した場合には、本実施形態の家畜用保育器１に載せられて、暖気に当てられるのが好ましい。
なお、家畜ｃの他例としては、馬や羊、豚等、牛以外の家畜としてもよく、さらには、犬や猫等のペットとすることも可能である。
【００１２】
保育台１０は、矩形枠状の基枠１１と、この基枠１１内に不動に嵌め合わせられた本体ケース１２と、本体ケース１２内の上部側に家畜載置面１３ａを形成している家畜載置部材１３とを一体的に具備している。
この保育台１０の上方側は、後述する柵４０以外、覆うような部材はなく、開放されている。
【００１３】
基枠１１は、硬質金属材料から中央側を開口した矩形枠状に構成され、当該家畜用保育器１の周縁部を構成する。
この基枠１１には、後述するヒーター２０や、車輪３１，３２及び柵４０等が、それぞれ支持されている。
【００１４】
本体ケース１２は、例えば、合成樹脂材料等により、下方側を底部とし上方側を開口した略矩形箱状に形成される。
この本体ケース１２は、平面視上の面積が、下半部側よりも上半部側が広くなっており、前記下半部と前記上半部の間における内側面に段部１２ａを有する。この段部１２ａは、本体ケース１２の四方の内側面にそれぞれ設けられ、後述する家畜載置部材１３を支持している。
また、本体ケース１２の前記下半部において、当該家畜用保育器１の進行方向の一方側の側壁には、貫通孔１２ｂが設けられる。この貫通孔１２ｂは、後述するヒーター２０の暖気を通過させるための孔である。
【００１５】
家畜載置部材１３は、家畜載置面１３ａを有する平面視矩形板状の部材であり、本体ケース１２内の段部１２ａに載置される。
この家畜載置部材１３は、その全領域にわたるように多数の通気孔１３ｂを有し、例えば、多数の鉄筋を格子状に溶接した網目状部材や、多数の通気孔１３ｂが穿孔された鉄板等により構成される。
【００１６】
ヒーター２０は、定格１２００Ｗ程度の温風セラミックヒーターであり、その送風口を貫通孔１２ｂへ向けて、保育台１０の側面（詳細には基枠１１）に止着固定される。
このヒーター２０の送風口と貫通孔１２ｂの間には、必要に応じて、角筒状のダクト１２ｃが設けられる。このダクト１２ｃは、前記送風口から送出される温風を、効率よく本体ケース１２内へ送り込む。
【００１７】
上記構成の保育台１０及びヒーター２０によれば、ヒーター２０による暖気を家畜載置部材１３の下側へ導いて多数の通気孔１３ｂに対しその下側から通過させる暖気通路ａが確保される（図２参照）。
【００１８】
また、車輪３１，３２は、地面を転動するように、基枠１１に対し回転自在に支持されている。
【００１９】
詳細に説明すれば、大きい方の車輪３１は、家畜用保育器１の長手方向の一方側（図２によれば右側）に配置され、前記長手方向へ転動するように、基枠１１の左右両側の側面にそれぞれ設けられる。各車輪３１は、基枠１１に対し、軸支ブラケット及び回転軸等を介して回転自在支持されている。
【００２０】
また、小さい方の車輪３２は、家畜用保育器１の前記一方側に対する他方側（図２によれば左側）に配置され、基枠１１の左右両側の側面にそれぞれ設けられる。各車輪３２には、例えば、自在に進行方向へ可変できるキャスターが用いられる。
【００２１】
柵４０は、金属製の棒材やパイプ材を、保育台１０の上方側空間の四方を囲むように配設して、基枠１１に対し止着固定したものである。
この柵４０の他例としては、保育台１０の四辺各々に、上方へ立ち上がる板状部材を止着固定した態様等とすることも可能である。
【００２２】
上記構成の家畜用保育器１は、図３に例示するように、家畜ｃを載せた状態で、畜舎２に入れられる。
畜舎２は、中空の本体部２ｂと、この本体部２ｂの開口を塞ぐ可撓性シート２ａとから構成される。
【００２３】
本体部２ｂは、例えば、合成樹脂や木材、金属等の硬質材料から構成され、家畜用保育器１を収納可能な内部空間の正面側に開口を有し、該開口以外の上方、左右及び後部等を覆った中空状に形成される。
この畜舎２の前記開口は、可撓性シート２ａにより開閉可能に閉鎖されている。
【００２４】
可撓性シート２ａは、例えば透明ビニールシートであり、その中央側に、部分的に捲れ上げ可能な矩形状のくぐり戸２ａ１を有する。
くぐり戸２ａ１は、その上端側が、可撓性シート２ａ全体の幅方向の中央側を正面視矩形状に切欠してなる開口部に対し、止着されている。このくぐり戸２ａ１の左右両側は、それぞれ、前記開口部の内縁に対し、着脱具２ａ２（例えば、チャックやベルベットファスナー、ボタン、磁石等を含む）を介して、着脱可能に止着される。
したがって、着脱具２ａ２を外せば、図３に示すように、くぐり戸２ａ１の下部側を捲り上げて、家畜用保育器１を通過可能な開口部を形成することができる。
【００２５】
次に、上記構成の家畜用保育器１及び畜舎２について、その特徴的な作用効果を詳細に説明する。
例えば、生まれたばかりの家畜ｃは、家畜用保育器１の家畜載置面１３ａ上に載せられ、図３に示すように、畜舎２内に収納される。
この収納状態で、ヒーター２０に電力を供給すれば、図２に示すように、ヒーター２０から送出される温風が、本体ケース１２内の下半部側の暖気通路ａを通過し、さらに、家畜載置部材１３の通気孔１３ｂを通過して、家畜ｃに対し下方側から当たる。
このため、家畜ｃは、羊水により濡れている場合であっても、ヒーター２０の暖気によって徐々に乾燥してゆき、気道が確保され、体温の低下から免れる。
一定時間（例えば、数時間程度）経過した後は、家畜ｃが暖気に慣れて弱らないように、ヒーター２０への電力供給が遮断され、温風を停止する。
家畜ｃは、必要に応じて、保育台１０から降ろされる場合もある。
【００２６】
また、例えば、ある程度成長した家畜ｃが、下痢等により体調を崩した場合には、この家畜ｃを、家畜用保育器１の載せて畜舎２内に入れ、ヒーター２０により保温すれば、この家畜ｃの体調の回復を促進することができる。
【００２７】
よって、上記構成の家畜用保育器１によれば、小型な構造により家畜（仔牛）の成長や体調に応じた良好な保育環境を得ることができる。
しかも、上方を開放し比較的高さの低い簡易な構造であるため、例えば、ある程度成長した家畜ｃを載せられるように大きめに制作した場合でも、製造コストや輸送コストの増大を抑制することができる。
また、家畜用保育器１を比較的大きく形成した場合には、単一の家畜用保育器１によって、出産時の双子や同時出産などによる複数の仔牛に対応することができる。
【００２８】
なお、図示例によれば、単一の畜舎２に対し単一の家畜用保育器１を収納するようにしたが、他例として、家畜用保育器１をより小型に形成、あるいは畜舎２をより大型に形成すれば、単一の畜舎２に対し、複数の家畜用保育器１を収納することが可能である。
【００２９】
また、上記実施の形態によれば、畜舎２を硬質材料（例えば合成樹脂等）の本体部２ｂ及び可撓性シート２ａから構成したが、この畜舎２の他例としては、布及び骨材等からなるテント等とすることも可能である。
【００３０】
また、上記実施の形態によれば、車輪３１，３２を合計４つ具備するようにしたが、他例としては、車輪を３つ具備した態様や、車輪を５以上具備した態様等とすることも可能である。
さらに他例としては、前後方向の一方側に二つの車輪３１，３１のみを有し、他方側を地面に載置して必要に応じて持ち上げられるようにしてもよい。
【００３１】
また、上記実施の形態において、ヒーター２０は保育台１０に対し不動に固定すればよいが、より好ましい態様としては、故障時に容易に交換できるように、ヒーター２０を保育台１０に対し着脱可能に固定してもよい。
【００３２】
また、上記実施の形態によれば、保育台１０及び柵４０を一体的に有する構造としたが、他例としたは、上記構成の家畜用保育器１から柵４０を省いた態様や、柵４０を着脱可能に具備した態様等とすることも可能である。
【００３３】
また、上記家畜用保育器１に付加する構成として、手押し用のバーを設けた態様や、車両等によって牽引するための被牽引具を設けた態様等とすることも可能である。
【００３４】
本考案は上述した実施態様に限定されず、本考案の要旨を変更しない範囲で適宜変更可能である。
【符号の説明】
【００３５】
１：家畜用保育器
ｃ：家畜
２：畜舎
２ａ：可撓性シート
１０：保育台
１３：家畜載置部材
１３ａ：家畜載置面
１３ｂ：通気孔
２０：ヒーター
３１，３２：車輪
４０：柵
【図１】
0003211745.tif 000003
【図２】
0003211745.tif 000004
【図３】
0003211745.tif 000005
【図４】
0003211745.tif 000006